(57)【要約】  切替え可能なディスプレイ装置の駆動を制御するための制御方法および装置が記載される。その切替え可能なディスプレイ装置は、２Ｄ表示モードと３Ｄ自動立体表示モードとの間で切り替えることができる。表示モードモジュール（１４６５）と、画像データモジュール（１４７０）と、許可モジュール（１４７５）と、コントローラ（１４８０）と、ドライバモジュール（１４８５）とを備える制御装置（１４５５）が記載される。
2005513884.tif 000002
【特許請求の範囲】
【請求項１】
複数の異なる視認窓のそれぞれにおいて共通の画像を提供する第１の表示モードと、前記複数の異なる視認窓のそれぞれにおいて個別の画像を提供する第２の表示モードとの間で切り替えることができる光スイッチング装置を駆動する方法であって、
前記方法は、
（ｉ）前記光スイッチング装置が前記第２の表示モードに切り替えられているか否かを判定することと、
（ｉｉ）表示されることになる画像が、前記複数の異なる視認窓のそれぞれにおいて個別の画像を表示されるように許可されていないか否かを判定することと、
（ｉｉｉ）前記ステップ（ｉ）および（ｉｉ）の両方における肯定的な判定に応答して、前記第２の表示モードにある前記複数の視認窓のそれぞれにおける前記個別の画像が概ね互いに同じになるように、前記画像を表示するように構成される駆動方式を用いて、前記光スイッチング装置を駆動することと
を含む光スイッチング装置を駆動する方法。
【請求項２】
前記光スイッチング装置は、偏光子を配置し直すことにより、前記第１の表示モードと前記第２の表示モードとの間で切り替えることができ、前記光スイッチング装置が前記第２の表示モードに切り替えられていることを判定する前記ステップは、前記偏光子の位置を検出することを含む請求項１に記載の光スイッチング装置を駆動する方法。
【請求項３】
前記光スイッチング装置は、偏光素子の電気的な駆動により、前記第１の表示モードと前記第２の表示モードとの間で切り替えることができ、前記光スイッチング装置が前記第２の表示モードに切り替えられていることを判定する前記ステップは、前記偏光素子の前記電気的な駆動を判定することを含む請求項１に記載の光スイッチング装置を駆動する方法。
【請求項４】
前記第２の表示モードは、個別の画像からのデータで隣接する列を駆動することにより、前記複数の異なる視認窓のそれぞれにおいて個別の画像を提供し、
前記第２の表示モードにある前記複数の視認窓のそれぞれにおける前記個別の画像が概ね互いに同じになるように、前記画像を表示するように構成される駆動方式を用いて、前記ディスプレイを駆動する前記ステップは、表示されることになる前記画像からの同じデータを隣接する列に適用することを含む請求項１〜３のいずれか一項に記載の光スイッチング装置を駆動する方法。
【請求項５】
表示されることになる前記画像からの同じデータを隣接する列に適用する前記ステップは、
（ｉｖ）前記列データをラッチあるいはサンプリングすることと、
（ｖ）前記光スイッチング装置の水平クロックに周波数および位相が関連付けられるクロック信号によって前記ラッチあるいは前記サンプリングを制御することと
を含む請求項４に記載の光スイッチング装置を駆動する方法。
【請求項６】
表示されることになる前記画像からの同じデータを隣接する列に適用する前記ステップはさらに、
（ｖｉ）カラーチャネル毎に前記ステップ（ｉｖ）および（ｖ）を実行することを含む請求項５に記載の光スイッチング装置を駆動する方法。
【請求項７】
前記第２の表示モードにある前記複数の視認窓のそれぞれにおける前記個別の画像が概ね互いに同じになるように前記画像を表示するように構成される駆動方式を用いて、前記光スイッチング装置を駆動する前記ステップは、前記光スイッチング装置の表示エリアの一部のためにのみ実行される請求項１〜６のいずれか一項に記載の光スイッチング装置を駆動する方法。
【請求項８】
遠隔した情報源から、表示されることになる前記画像の画像データを受信することをさらに含む請求項１〜７のいずれか一項に記載の光スイッチング装置を駆動する方法。
【請求項９】
前記第２の表示モードにあるか、あるいは前記第２の表示モードに切り替えられる前記光スイッチング装置をモニタすることをさらに含む請求項１〜８のいずれか一項に記載の光スイッチング装置を駆動する方法。
【請求項１０】
前記第２の表示モードにあるか、あるいは前記第２の表示モードに切り替えられる前記光スイッチング装置に関連するモニタされたデータを、遠隔した実体に送ることをさらに含む請求項９に記載の光スイッチング装置を駆動する方法。
【請求項１１】
前記第１の表示モードは２Ｄ画像を提供し、前記第２の表示モードは３Ｄ自動立体画像を提供する請求項１〜１０のいずれか一項に記載の光スイッチング装置を駆動する方法。
【請求項１２】
表示されることになる画像が、前記複数の異なる視認窓のそれぞれにおいて個別の画像を表示されるように許可されていないことを判定する前記ステップは、前記画像データに関連するデータ内のフラグを特定することを含む請求項１〜１１のいずれか一項に記載の光スイッチング装置を駆動する方法。
【請求項１３】
表示されることになる画像が、前記複数の異なる視認窓のそれぞれにおいて個別の画像を表示されるように許可されていないことを判定する前記ステップは、ユーザ入力を処理することを含む請求項１〜１１のいずれか一項に記載の光スイッチング装置を駆動する方法。
【請求項１４】
複数の異なる視認窓のそれぞれにおいて共通の画像を提供する第１の表示モードと、前記複数の異なる視認窓のそれぞれにおいて個別の画像を提供する第２の表示モードとの間で切り替えることができる光スイッチング装置の駆動を制御するための制御装置であって、
前記制御装置は、
（ｉ）前記光スイッチング装置が前記第２の表示モードに切り替えられていることを判定するための手段と、
（ｉｉ）表示されることになる画像が前記複数の異なる視認窓のそれぞれにおいて個別の画像を表示されるように許可されていないことを判定するための手段と、
（ｉｉｉ）前記光スイッチング装置が前記第２の表示モードに切り替えられていることを判定するための前記手段からの肯定的な出力と、表示されることになる画像が前記複数の異なる視認窓のそれぞれにおいて個別の画像を表示されるように許可されないことを判定するための前記手段からの肯定的な出力とに応答して、前記第２の表示モードにある場合の前記複数の視認窓のそれぞれにおける前記個別の画像が概ね互いに同じになるように前記画像を表示するように構成される駆動方式を提供する手段と
を備える、光スイッチング装置の駆動を制御するための制御装置。
【請求項１５】
前記光スイッチング装置は、偏光子を配置し直すことにより前記第１の表示モードと前記第２の表示モードとの間で切り替えることができ、
前記光スイッチング装置が前記第２の表示モードに切り替えられていることを判定するための前記手段は、前記偏光子の位置を検出するためのセンサを備える請求項１４に記載の光スイッチング装置の駆動を制御するための制御装置。
【請求項１６】
前記光スイッチング装置は、偏光素子の電気的な駆動により、前記第１の表示モードと前記第２の表示モードとの間で切り替えることができ、
前記光スイッチング装置が前記第２の表示モードに切り替えられていることを判定する前記ステップは、前記偏光素子の前記電気的な駆動を判定する手段を含む請求項１４に記載の光スイッチング装置の駆動を制御するための制御装置。
【請求項１７】
前記第２の表示モードは、個別の画像からのデータで隣接する列を駆動することにより、前記複数の異なる視認窓のそれぞれにおいて個別の画像を提供し、
前記第２の表示モードにある前記複数の視認窓のそれぞれにおける前記個別の画像が概ね互いに同じになるように、前記画像を表示するように構成される駆動方式を用いて、前記ディスプレイを駆動する前記手段は、表示されることになる前記画像からの同じデータを隣接する列に適用する手段を含む請求項１４〜１６のいずれか一項に記載の光スイッチング装置の駆動を制御するための制御装置。
【請求項１８】
表示されることになる前記画像からの同じデータを隣接する列に適用する前記手段は、
（ｉｖ）前記列データをラッチあるいはサンプリングする手段と、
（ｖ）前記光スイッチング装置の水平クロックに周波数および位相が関連付けられるクロック信号によって前記ラッチあるいは前記サンプリングを制御する手段と
を備える請求項１７に記載の光スイッチング装置の駆動を制御するための制御装置。
【請求項１９】
前記列データをラッチあるいはサンプリングするための前記手段、および前記光スイッチング装置の水平クロックに対して周波数および位相が関連付けられるクロック信号によって前記ラッチあるいはサンプリングを制御するための前記手段は、カラーチャネル毎に、ラッチあるいはサンプリングし、かつラッチおよびサンプリングを制御するようになっている請求項１８に記載の光スイッチング装置の駆動を制御するための制御装置。
【請求項２０】
前記第２の表示モードにある前記複数の視認窓のそれぞれにおける前記個別の画像が概ね互いに同じになるように前記画像を表示するように構成される駆動方式を用いて前記ディスプレイを駆動するための前記手段は、前記光スイッチング装置の表示エリアの一部のみに対して前記駆動方式を提供することができる請求項１４〜１９のいずれか一項に記載の光スイッチング装置の駆動を制御するための制御装置。
【請求項２１】
遠隔した情報源から、表示されることになる前記画像の画像データを受信する手段をさらに含む請求項１４〜２０のいずれか一項に記載の光スイッチング装置の駆動を制御するための制御装置。
【請求項２２】
前記第２の表示モードにあるか、あるいは前記第２の表示モードに切り替えられる前記光スイッチング装置をモニタする手段をさらに含む請求項１４〜２１のいずれか一項に記載の光スイッチング装置の駆動を制御するための制御装置。
【請求項２３】
前記第２の表示モードにあるか、あるいは前記第２の表示モードに切り替えられる前記光スイッチング装置に関連するモニタされたデータを、遠隔した実体に送る手段をさらに含む請求項２２に記載の光スイッチング装置の駆動を制御するための制御装置。
【請求項２４】
前記第１の表示モードは２Ｄ画像を提供し、前記第２の表示モードは３Ｄ自動立体画像を提供する請求項１４〜２３のいずれか一項に記載の光スイッチング装置の駆動を制御するための制御装置。
【請求項２５】
表示されることになる画像が、前記複数の異なる視認窓のそれぞれにおいて個別の画像を表示されるように許可されていないことを判定する前記手段は、前記画像データに関連するデータ内のフラグを特定する手段を含む請求項１４〜２４のいずれか一項に記載の光スイッチング装置の駆動を制御するための制御装置。
【請求項２６】
表示されることになる画像が、前記複数の異なる視認窓のそれぞれにおいて個別の画像を表示されるように許可されていないことを判定する前記手段は、ユーザ入力を処理する手段を含む請求項１４〜２４のいずれか一項に記載の光スイッチング装置の駆動を制御するための制御装置。
【請求項２７】
請求項１４〜２６のいずれか一項に記載の制御装置と、空間光変調器とを備える光スイッチング装置。
【請求項２８】
グラフィックスコントローラと、請求項１４〜２６のいずれか一項に記載の制御装置を含む接続モジュールと、空間光変調器とを備える光スイッチング装置であって、
前記グラフィックスコントローラは前記接続モジュールを介して前記空間光変調器に接続される光スイッチング装置。
【請求項２９】
請求項２７または２８に記載の光スイッチング装置を含むポータブル電子装置。
【請求項３０】
コンピュータ装置上で実行することができ、前記コンピュータ装置が請求項１〜１３のいずれか一項に記載の方法を実行できるようにするコンピュータプログラム。
【請求項３１】
請求項３０に記載のコンピュータプログラムを格納する記憶媒体。
【請求項３２】
請求項１〜１３のいずれか一項に記載の方法を実行するために１つまたは複数のプロセッサを制御するための、プロセッサによって実施可能な命令を格納する記憶媒体。
【発明の詳細な説明】
【技術分野】
【０００１】
本発明は、種々の光出力方向分布を与えることに関して切替え可能であるディスプレイ装置を駆動することを含むことができる、光スイッチング装置を制御するための制御方法および装置に関する。そのようなディスプレイ装置は、限定はしないが、２次元（２Ｄ）表示モードと３次元（３Ｄ）自動立体表示モードとの間で切り替えることができるディスプレイ装置を含む。本発明の制御方法および装置は、コンピュータモニタ、通信用ハンドセット、デジタルカメラ、ラップトップおよびデスクトップコンピュータ、ゲーム装置、自動車用および他のモバイルディスプレイ用途において用いることができる。
【０００２】
［３Ｄディスプレイ］
通常の人間の視覚は立体視であり、すなわちそれぞれの眼が世界のわずかに異なる像を見る。脳は２つの像（ステレオペアと呼ばれる）を融合して奥行の感覚を与える。３次元立体ディスプレイは、現実世界の光景を視認する場合に見えるはずである像に対応する、個別の概ね平坦な画像を、それぞれの眼に対して再生する。再び、脳がステレオペアを融合して、その像において奥行を見ることができるようにする。
【０００３】
図１ａはディスプレイ面１内にあるディスプレイ表面の平面図を示す。右眼２は、ディスプレイ面上の右眼相応（right eye homologous）の像点３を視認し、左眼４は、ディスプレイ面上の左眼相応の像点５を視認し、スクリーン面の後方において、ユーザの眼によってはっきりと認識される像点６が生成されるようにする。
【０００４】
図１ｂはディスプレイ面１内にあるディスプレイ表面の平面図を示す。右眼２は、ディスプレイ面上の右眼相応の像点７を視認し、左眼４は、ディスプレイ面上の左眼相応の像点８を視認し、スクリーン面の前方において、眼によって見ることができる像点９が生成されるようにする。
【０００５】
図１ｃは、左眼の像１０および右眼の像１１の見え方（appearance）を示す。左眼の像１０内の相応点５は基準線上に配置される。右眼の像１１の対応する相応点（homologous point）３は、基準線１２に対して相対的に異なる位置３にある。基準面１２からの点３の離隔距離１３は視差（disparity）と呼ばれ、この場合には、スクリーン面の後方に位置することになる点のための正の視差（positive disparity）である。
【０００６】
そのシーン内の一般化された点の場合、図１ａに示されるようなステレオペアの像毎に対応する点が存在する。これらの点は相応点と呼ばれる。２つの像間の相応点の相対的な離隔距離は視差と呼ばれる。視差が０の点は、ディスプレイの深度面にある点に対応する。図１ｂは、非交差視差を有する点がディスプレイの後方に現われることを示しており、図１ｃは、交差視差を有する点がディスプレイの前方に現われることを示す。相応点の離隔距離の長さ（magnitude）、観察者までの距離、および観察者の眼間距離が、ディスプレイ上で認識される奥行の深さを与える。
【０００７】
立体視タイプのディスプレイは従来技術において既知であり、左眼および右眼に伝えられる光景を実質的に区別するために、ユーザがある種の視認用補助具（viewing aid）を装着するディスプレイのことを指す。たとえば、視認用補助具には、画像が色分け（たとえば、赤および緑）されるカラーフィルタ、直交する偏光状態に画像が符号化される偏光眼鏡、あるいは光景（views）が、眼鏡のシャッターが開くのに同期して時系列の画像として符号化されるシャッター眼鏡を用いることができる。
【０００８】
自動立体ディスプレイは、観察者が視認用補助具を装着することなく動作する。自動立体ディスプレイでは、光景がそれぞれ、図２に示されるように空間内の限られた領域から見られることができる。
【０００９】
図２ａは、視差光学要素１７を取り付けられたディスプレイ装置１６を示す。ディスプレイ装置は右眼チャネルのための右眼画像１８を生成する。視差光学要素１７は光を矢印１９によって示される方向に誘導し、ディスプレイの前方にある領域内に右眼視認窓２０を生成する。観察者は、窓２０の位置に右眼２２を置く。左眼視認窓２４の位置が参考のために示されている。
【００１０】
図２ｂは左眼光学系を示す。ディスプレイ装置１６は左眼チャネルのための左眼画像２６を生成する。視差光学要素１７は矢印２８によって示される方向に光を誘導し、ディスプレイの前方にある領域内に左眼視認窓３０を生成する。観察者は、窓３０の位置に左眼３２を置く。右眼視認窓２０の位置も参考のために示されている。
【００１１】
上記系はディスプレイと、光学ステアリング機構とを備える。左画像からの光は、視認窓と呼ばれる、ディスプレイの前方にある限られた領域に送られる。眼が視認窓の位置に置かれるとき、観察者はディスプレイの全体にわたって適当な像を見る。同様に、光学系は、右画像を見るための光を別の窓に送る。観察者がその窓に右眼を置くとき、右眼画像がディスプレイの全体にわたって見られるであろう。一般的に、いずれの画像からの光も、それぞれの方向分布に光学的に方向制御（steered）されている（すなわち誘導されている）ものと見なすことができる。
【００１２】
当該光学系は、ディスプレイから所定の距離にある窓面において照明の方向分布を生成するための役割を果たす。ディスプレイの窓面にわたる輝度の変化は、光の方向分布の１つの具体的な形を構成する。
【００１３】
個々の画像はディスプレイ面において表示され、窓面あるいはその近傍において観察者によって観察される。窓面にわたる輝度の変化は、画像にわたる輝度の変化によっては定義されない。しかしながら、窓面において観察者によって見られる画像は、説明を容易にするために、視認窓における画像と呼ばれることもある。
【００１４】
本出願において、用語「ＳＬＭ」（空間光変調器）は、外部光源の透過あるいは反射された輝度を変調する装置を包含するために用いられ、その例には、液晶ディスプレイとともに、光そのものを生成する装置も含まれ、その装置にはエレクトロルミネセンスディスプレイが含まれる。
【００１５】
本出願において、用語「３Ｄ」は、異なる画像がそれぞれの眼に与えられ、結果として奥行の感覚が脳において生成される、立体あるいは自動立体画像を指すために用いられる。これは、３Ｄ物体が２次元ディスプレイ上にレンダリングされ、それぞれの眼が全く同じ画像を見る「３Ｄグラフィックス」とは異なることに理解されたい。
【００１６】
１つのタイプの従来技術の切替え可能な２Ｄ／３Ｄディスプレイシステムは、Proc. SPIE vol. 1915 Stereoscopic Displays and Applications IV(1993) pp177-186「Developments in Autostereoscopic Technology at Dimension Technologies Inc.」（1993）に記載されるように、異なる方向分布間の切替えを達成するために、切替え可能なバックライトユニットを用いる。第１のモードでは、バックライトからの光分布は概ね一様であり、そのディスプレイから２Ｄ方向分布が生成される。第２の表示モードでは、バックライトによって光線が生成される。これらの光線はＬＣＤピクセルによって変調され、３Ｄ画像を見るための自動立体強度分布の窓が形成されるようになる。その切替えは、たとえば、拡散体に印加される電圧によって制御される切替え可能な拡散要素によって達成されることができる。そのような拡散体は従来技術において知られている。
【００１７】
図４は、典型的なストライプタイプのカラーＴＦＴ−ＬＣＤ上にある従来技術のＬＣＤピクセル面１０４２の表示エリア１０８０のサブセクションの正面図を示す。そのレイアウトは、赤色ピクセル列１０８２内の赤色ピクセル、緑色ピクセル列１０８４内の緑色ピクセルおよび青色ピクセル列１０８６内の青色ピクセルからなるピクセルアパーチャ１０６２のアレイを含む。
【００１８】
図５は、図３ａの従来技術の２ビュー３Ｄ自動立体ディスプレイにおいて用いられる、同じディスプレイのための画像データの対応する位置を示す。右眼データは右眼ビューデータピクセル列１０８８内に配置され、左眼データは、対応する左眼ビューデータ列１０９０上に配置される。その画像データは各列の下方に変化し、垂直な空間情報を与える。
【００１９】
３つ以上の窓を可能にするために、ディスプレイシステムにおいて３つ以上のビューデータ列を用いることができることは当業者には既知である。しかしながら、そのような構成は、観察者のそれぞれの眼によって見られる画像の解像度をさらに低下させるように作用するであろう。
【００２０】
２Ｄ／３Ｄディスプレイシステムとは無関係に、公開鍵インフラストラクチャ（ＰＫＩ）のような暗号化システムが当分野においてよく知られている。
【００２１】
一般的に、ディスプレイの機能を含む、さらに多くの機能が電子装置、特にポータブル装置に追加されると、自由度の高い使い方への要求、およびリモートソースから提供されることができるサービスへの要求が高まる。それゆえ、切替え可能な２Ｄ／３Ｄディスプレイ（および他の関連する切替え可能なディスプレイ）の事例では、その装置のユーザ、およびその装置あるいはユーザへのサービスおよびデータのプロバイダのために、技術的にも商業的にも、より高い自由度を可能にする制御方法および装置への要求が生じる。
【００２２】
本発明人は、２Ｄ画像の表示と３Ｄ画像の表示（および他の切替え可能な方向分布）との間の自由度（flexibility）を可能にする制御方法および装置、さらにサービスプロバイダあるいは装置提供者が、許可手順によって潜在的な収益を管理できるようにする制御方法および装置への特定の要求を満たしている。
【００２３】
第１の態様では、本発明はディスプレイ装置を駆動する方法を提供し、そのディスプレイ装置は少なくとも２つの光出力方向分布間で切替え可能であり、その方法は、第１の光出力方向分布にしたがって定義されるが、第２の方向分布に設定されたディスプレイ装置では許可されないか、あるいはそうでなくても正確に表示されるように指示されない画像のために、第２の光出力方向分布に切り替えられている間に、第１の光出力分布を再現するようにディスプレイ装置を駆動することを含む。
【００２４】
第１の方向分布は、全てのピクセルによって形成される視認面において単一の画像を提供することを含み、第２の方向分布は、その視認面において複数の画像を提供することを含むことが好ましい。単一の画像は２Ｄ画像を形成し、複数の画像は３Ｄ自動立体画像を形成することが好ましい。第２の光出力方向分布に切り替えられている間に第１の光出力方向分布を再現するようにディスプレイ装置を駆動するとき、複数の画像の各画像は、合成された効果によって２Ｄ画像を形成する単一の画像になるように、互いに同じ画像を表示するように構成されることが好ましい。
【００２５】
さらに別の態様では、本発明は、
切替え可能な２Ｄ／３Ｄディスプレイ装置を提供し、この装置は、
自動立体ディスプレイ装置を備え、この装置は少なくとも、
空間光変調器と、
光方向分布切替え装置と、
光方向分布検知装置と、
画像信号受信装置と、
許可受信装置と、
制御装置と、
ＳＬＭ上でデータを提供するように構成される画像インターレース装置とを備え、
第１の動作モードでは最大解像度の２Ｄ画像を提供し、
第２の動作モードでは３Ｄ画像を提供するように構成され、
第１の動作モードでは、
検知装置によって検出される光方向分布切替え装置の出力方向分布が入力光方向分布と概ね同じであり、
画像信号受信装置は最大解像度の２Ｄ画像の存在を検出するように構成され、
画像インターレース装置は空間光変調器上に概ね変更されていない２Ｄ画像を提供するように構成され、
第２の動作モードでは、
検知装置によって検出される光方向分布切替え装置の出力方向分布が入力光方向分布とは異なり、
それにより３Ｄ画像のために適した輝度分布がディスプレイの窓面において見られるようにし、
画像信号受信装置は３Ｄ画像対の存在を検出するように構成され、
許可受信装置は許可の存在を検出するように構成され、
画像インターレース装置は空間光変調器上に提供するための３Ｄ画像対をインターレースするように構成され、各ビューデータ列が各光景のための個々のビューデータを含むようにする。
【００２６】
その装置はさらに、解像度を下げた２Ｄ画像を提供する、さらに別の第３の動作モードも提供することが好ましく、第３の動作モードでは、
検知装置によって検出される光方向分布切替え装置の出力方向分布が入力光方向分布とは異なり、
３Ｄ画像のために適した輝度分布がディスプレイの窓面において見られるようにし、
ソフトウエアキー受信装置が、許可キーが存在しないことを検出するように構成され、
画像インターレース装置はＳＬＭ上の画像データをインターレースするように構成され、その画像データがビューデータ列の各グループ内のビューデータ列毎に概ね同じになる（それゆえ２Ｄ画像が見られる）ようにする。
【００２７】
上記の態様のいずれの場合においても、さらに以下のことが当てはまることが好ましい。
【００２８】
自動立体ディスプレイ装置は空間的に多重化されたタイプにすることができる。
【００２９】
光方向分布検知要素は、
偏光変更要素の向きか、
電子偏光切替え装置にかかる電界か、
出力角度光分布かのいずれか１つを判定することができる。
【００３０】
その画像信号受信装置は、
たとえば、
その画像内の平均的な水平方向のピクセル間輝度変化を測定し、ある閾値と比較することにより、あるいは、
画像ヘッダファイル内のデータフラグを検査することにより、あるいは、
ユーザからの入力を受信することにより、インターレースされた画像が受信されているか否かを判定することによって、受信された画像のタイプを判定し、
許可を用いてその画像を暗号解除することができ、その許可は３Dモードを使用するための許可と同じにすることができる。
【００３１】
許可受信装置は、
暗号化システムを用いることができ、その暗号化システムはＰＫＩ（公開鍵インフラストラクチャ）あるいは他の既知の符号化または暗号化方法を用いることができる。
【００３２】
個々の許可された装置を特定する方法は、
内蔵のスマートカードおよびシリアル番号を用いることができるか、あるいは「クッキー」技術を用いることができる。
【００３３】
暗号化システムは「ソフト」および「ハード」モードを有することができ、ソフトモードでは、適当なデコーダを備える全てのそれらの受信機がその画像を見るための資格を与えられることができ、ハードモードでは、ある特定の受信機グループあるいは個々の受信機のみがその画像を見るための資格を与えられる。
【００３４】
許可は、
特定の画像またはデータを表示できるようにするために、サーバ装置からディスプレイ装置に送信されることができるか、あるいは、
画像とは個別に送信されることができるか、あるいは、
画像データファイルそのものの中に埋め込まれることができる。
【００３５】
制御装置は方向分布センサおよび許可装置からの情報を用いて、その装置が第１の動作モードで動作すべきか、第２の動作モードで動作すべきか、あるいは第３の動作モードで動作すべきかを判定することができる。
【００３６】
画像インターレース装置は、
グラフィックスコントローラとＳＬＭ駆動電子回路との間のインターフェース内に実施されることができるか、あるいは、
ＳＬＭ駆動電子回路内に実施されることができるか、あるいは、
ディスプレイ管理システムのオペレーティングシステムのソフトウエア内に実施されることができるか、あるいは、
グラフィックスコントローラのファームウェア内に実施されることができるか、あるいは、
第１の動作モードと、第２の動作モードと、第３の動作モードとの間のディスプレイガンママッピング関数をさらに調整することができる。
【００３７】
ビューデータ列の各グループは、
同じカラーチャネルのピクセルを含むことができ、かつ／または、
第２および第３の動作モードでは、カラーチャネルのうちの２つと第３のカラーチャネルとの間に位相オフセットを設けて表示されることができる。
【００３８】
さらに別の態様では、本発明は、
切替え可能な２Ｄ／３Ｄディスプレイシステムを提供し、このディスプレイシステムは、
自動立体ディスプレイ装置を備え、このディスプレイ装置は少なくとも、
空間光変調器と、
光方向分布切替え装置と、
光方向分布検知装置と、
画像信号受信装置と、
ソフトウエアキー受信装置と、
個々のビューデータ列においてＳＬＭ上にデータを与えるように構成される画像インターレース装置とを備え、
第１のモードでは、最大解像度２Ｄを提供し、
第２のモードでは、解像度を下げた３Ｄ画像を提供し、
第３のモードでは、警告画像を提供するように構成され、
第１のモードでは、
検知装置によって検出される光方向分布切替え装置の出力方向分布は入力方向分布と概ね同じであり、
２Ｄ画像に適した輝度分布がディスプレイの窓面において見られるようになり、
画像信号受信装置は最大解像度２Ｄ画像の存在を検出するように構成され、
画像インターレース装置は、空間光変調器上に概ね変更されていない２Ｄ画像を提供するように構成され、
第２のモードでは、
検知装置によって検出される光方向分布切替え装置の出力方向分布は入力方向分布とは異なり、
３Ｄ画像に適した輝度分布がディスプレイの窓面において見られるようになり、
画像信号受信装置は３Ｄ画像対の存在を検出するように構成され、
ソフトウエアキー受信装置は許可キーの存在を検出するように構成され、
画像インターレース装置は、空間光変調器上に与えるための３Ｄ画像対をインターレースするように構成され、各ビューデータ列が光景毎に個々のビューデータを含むようにし、
第３のモードでは、
第１または第２のモードが満たされていない状態の場合に、警告画像が画面上に表示される。
【００３９】
警告画像は、
所定の警告メッセージと、
均等に色をつけた画面と、
黒または白の画面と、
視差光学部品と組み合わせて、各ビューデータ列内のビューデータが対応する３Ｄデータとは異なるようにする画像
とのうちの１つであることが好ましい。
【００４０】
本発明のさらに別の態様は添付の特許請求の範囲において請求される。
【００４１】
さらに別の態様では、本発明は、本発明による方法を実施するように実行可能なコンピュータプログラムと、そのようなプログラムを格納する記憶媒体と、本発明による方法を実施するようにプログラミングされるコンピュータ装置とを提供する。
【００４２】
本発明の異なる特徴は単独で、あるいは組み合わせて以下の利点を提供することができる。
当該装置は、ディスプレイの方向分布設定にかかわらず、許可が受信されていない場合には、３Ｄ画像を見ることが確実にできないようにする。
当該装置は、３Ｄ画像を表示するためのＳＬＭ上に正確なピクセルマップを再現するように設計されている場合であっても、ディスプレイ上で用いるために適切に許可を受けていない３Ｄデータが用いられるのを防ぐことができる。
標準的な２Ｄ画像インフラストラクチャは本明細書によって変更されることができないので、全ての２Ｄ画像およびアプリケーションは通常通りに機能し、そのシステムは後方互換性があり、既存の設備あるいはソフトウエアの更新時に著しい投資を必要としない。
ディスプレイが自動立体方向分布に設定されるとき、３Ｄ画像データが許可されていない場合でも、有効な２Ｄ表示を見ることができる。
当該装置は広範な２Ｄおよび３Ｄ画像データ形式と互換性があるので、特定のデータ形式には限定されない。
同じピクセルマッピングベクトルがある範囲の種々の画像の入力に対して用いられることができるので、画像コンテンツに関係なく、ピクセルマッピングが単一のマッピングモジュールで達成されることができる。
駆動システムへのコスト追加は少なくすることができ、それはオペレーティングシステムあるいはパネル駆動電子回路の細部とは無関係であるので、広範な種々のディスプレイプラットフォームおよびパネル駆動方式に都合よく追加されることができる。
当該装置は、その方向性モードと無方向性モードとの間でディスプレイユニットを低コストで手作業によって構成変更することができる。
当該装置は、指向性モードと無指向性モードとの間で電子工学的に構成変更可能なディスプレイで用いることができる。
電子工学的に切替え可能なディスプレイでは、３Ｄ許可およびモード切替えはサーバによって遠隔操作で設定されることができる。
サーバは遠隔して配置されることができ、画像データを提供することもできる。
オプションの画像ピクセルマッピングベクトルは、同じＳＬＭピクセルマッピングベクトルを用いながら、種々の画像形式に対して用いられることができるので、装置内の電子制御回路のコストが削減される。
当該装置は従来どおりの暗号化方式を用いることができる。同じ暗号化方式を用いて、画像の暗号解除および３Ｄ画像の利用の両方を許可することができる。
【００４３】
次に、本発明の実施形態を、単なる例示として、添付の図面を参照しながら記載する。
【００４４】
本発明の実施形態を説明する前に、最初に、本発明を実施するのに特に適した１つのタイプの２Ｄ／３Ｄ切替え可能指向性ディスプレイ装置が図３ａを参照しながら説明されるであろう。図３ａは、参照により本明細書に援用される、同時係属中の英国出願第０１１９１７６．６号および国際出願ＰＣＴ／ＧＢ０２／００３５１３に記載されるような、１つのタイプの切替え可能な指向性ディスプレイを示す。バックライト１０３４が、入力線形偏光子１０３８およびＬＣＤ  ＴＦＴ基板１０４０上に入射する光出力１０３６を生成する。その光は、ＬＣＤピクセル１０４４〜１０５８のアレイを含むピクセル面１０４２を通過する。各ピクセルは、アドレス指定可能な液晶材料の個別の領域、すなわちカラーフィルタを備え、ブラックマスク１０６０によって包囲され、ピクセルアパーチャ１０６２を形成する。その後、光はＬＣＤ対向基板１０６４を通り、支持基板１０６６を通って、複屈折材料の層１０６８と等方性レンズマイクロ構造１０７０とを含む複屈折マイクロレンズ１０７２に入る。その後、光はレンズ基板１０７４および偏光変更装置１０７６を通過する。
【００４５】
偏光変更装置１０７６は線形偏光子によって具現されることができる。２Ｄ動作モードでは、偏光子１０７６の透過軸は、複屈折材料１０６８の遅軸(slow axis)に位置合わせされ、レンズが等方性レンズマイクロ構造１０７０に屈折率整合され、光学的に全く影響を及ぼさないようになる。したがって、入力光の方向分布は概ね変更されない。
【００４６】
３Ｄ動作モードでは、偏光子１０７６は複屈折材料１０６８の速軸(fast axis)に位置合わせされ、レンズが形成され、ディスプレイによって出力される光の方向分布が変更されて、視認窓２０、３０が生成されるようになる。
【００４７】
そのような本発明を適用することができる装置のさらに細かい点および変形形態は、参照により本明細書に援用される、同時係属中の英国出願第０１１９１７６．６号および国際出願ＰＣＴ／ＧＢ０２／０３５１３に記載される。
【００４８】
図６は、本発明の第１の典型的な実施形態が実施されるディスプレイ装置１４５０の機能モジュールを示すブロック図である。ディスプレイ装置１４５０は、図に示されるように、空間光変調器（ＳＬＭ）１４６０に接続される制御装置１４５５を備える。制御装置１４５５そのものは、表示モードモジュール１４６５と、画像データモジュール１４７０と、許可モジュール１４７５とを備え、それらのモジュールはそれぞれ外部入力を個別に受信するように構成され、それらのモジュールは全て、さらにコントローラ１４８０に接続され、コントローラそのものはドライバモジュール１４８５に接続され、その出力はＳＬＭ１４６０に結合することができる。
【００４９】
ＳＬＭ１４６０は空間的に多重化された２Ｄ／３Ｄ自動立体ディスプレイであり、図３ｂにさらに詳細に示される。ＳＬＭ１４６０は、図３ａを参照して先に記載されたのと同じものであり、同じ部品に対して同じ参照番号が用いられるが、ＳＬＭ１４６０がさらに偏光検知装置（あるいは他の手段）１０７８を備える点が異なる。
【００５０】
図３ａに示される装置の場合のように、ＳＬＭ１４６０は２つの表示モードを提供する。第１の表示モードでは、偏光子１０７６は第１の向きに向けられ、複屈折マイクロレンズ１０７２は全く影響を及ぼさないので、２Ｄ画像が表示されるようになる。ピクセルは、たとえば図４に示されるように分布する。
【００５１】
第２の表示モードでは、偏光子１０７６は第２の向きに向けられ、複屈折マイクロレンズ１０７２が影響を及ぼすようになり、画像データの空間分布が角度分布に変換されて、窓面にいる観察者が立体、すなわち３Ｄ画像を見るようになる（ＧＢ０１１９１７６．６にさらに詳細に説明される）。そのピクセルは、たとえば図５に示されるように分布する。
【００５２】
偏光子検知装置１０７８は偏光子１０７６の向きを検出する役割を果たし、それゆえ、光出力の方向分布、すなわちＳＬＭが第１の表示モードで動作しているか、第２の表示モードで動作しているかをモニタすることができる。そのような装置の一例が図７ａに示される。構成変更可能な手動偏光子１０７６は１つの角に切込み１０７７を入れられており、それがマイクロスイッチ１０７９と位置合わせされる。第１の向きでは、マイクロスイッチは解除され、偏光子の透過軸が−４５°になり、ディスプレイからの２Ｄ方向分布を生じさせる。３Ｄ方向分布に変換するために、偏光子が取り外され、回転され、ディスプレイと位置合わせし直される。これにより、マイクロスイッチ１０７９は図７ｂに示されるように、押下されるようになる。
【００５３】
方向分布検知装置の別の例が図８ａに示される。この事例では、ディスプレイからの出力光の偏光を測定するために、ディスプレイ１０１９の前方に光検出器１０８５および偏光子１０８３が構成される。偏光子１０７６が１つの向きにあるとき、検出器偏光子１０８３は検出器１０８５と位置合わせされ、光が検出器１０８５に透過する。偏光子１０７６が回転するとき、光検出器内の光は消滅する。こうして、光検出器を用いて、偏光子１０７６の向きを、それゆえディスプレイ１０１９によって生成される方向分布を検知することができる。
【００５４】
別の方向分布設定検知装置が図８ｂに示されており、それは検出器１０８５および光源１０８７を備えることができ、偏光子１０７６の一部に追加される、あるいは偏光子の支持フレーム（図示せず）に追加される反射あるいは吸収機構１０８９と協動することができる。その装置は、偏光子が完全に挿入されているかを判定するために、類似の構成を組み込むことができる。そのようなセンサおよびスイッチは、たとえば、それらが紙の存否を検出するために用いられる写真複写機の分野において既知である。
【００５５】
他の実施形態では、配置し直すことができる偏光子１０７６として実施される代わりに、偏光切替え構成要素として、電気的スイッチと組み合わせた電子偏光変更装置を用いることができる（ＧＢ０１１９１７６．６にさらに詳細に説明される）。この事例では、電子偏光変更装置にかかる電圧あるいは他の電気的パラメータを検出するセンサが、方向分布検知装置として用いられることができる。
【００５６】
この実施形態では、制御装置１４５５は集積された部品の形で実施される。しかしながら、他の実施形態では、これは個別の形で実現されることができるか、あるいは集積部品と個別部品とが混在する部品として、あるいは実際には任意の他の適当な形で実現されることができる。また、表示モードモジュール１４６５、画像データモジュール１４７０、許可モジュール１４７５、コントローラ１４８０およびドライバモジュール１４８５、あるいはそれらによって実行される過程のいずれも、あるいはそのいずれの組み合わせも、プロセッサによって実施可能な命令からなるコンピュータプログラムを実行するコンピュータ装置の１つまたは複数のプロセッサによって実施されることができる。そのコンピュータプログラムは、コンピュータメモリ、ハードディスク、フロッピィデスク、ＲＯＭ、ＰＲＯＭ、光ディスクなどの適当な記憶媒体上に格納されることができる。
【００５７】
この実施形態では、画像データモジュール１４７０は、画像受信装置としての役割を果たし、ディスプレイシステムにローカルに存在するか、あるいは、たとえば遠隔して位置する通信ハンドセットサービスプロバイダなどの場所からのデジタル画像を受信する。しかしながら、他の実施形態では、個別のモジュールが画像データを受信あるいはロードすることができ、その後、以下に記載されることになる他の過程のみが画像データモジュール１４７０によって実施される。
【００５８】
画像データモジュール１４７０は、画像が暗号化されている場合には、それらの画像を暗号解除するように構成されることが好ましい。
【００５９】
画像データモジュール１４７０は、特に許可された３Ｄ画像の場合に、ダウンロードされる画像のタイプを自動的に判定するために必要とされることがある。これは、格納されたデータが、その画像が３Ｄ画像であるか否かを指定する場合、あるいは格納されたデータが、その画像が３Ｄで表示するために許可されたか否かを指定する場合を参考にすることができる。これは、たとえば、
ソフトウエアフラグが画像ファイルのヘッダ内に設定されていること、
観察者が、その画像が２Ｄであることをソフトウエアメニューにおいて選択すること、
自動識別手段が、その画像がインターレースされているストライプのデータである可能性があるデータから構成されないものと識別すること
によって達成されることができる。
【００６０】
許可モジュール１４７５は、ユーザが、３Ｄ画像を表示するためにサービスプロバイダによって許可されているか否かを判定する。許可はたとえば、送信された許可コードと、ユーザの装置にあるスマートカードとを組み合わせることにより得られることができ、それに加えて、暗号化されたデータを用いることができる。
【００６１】
オプションでは、許可は、３Ｄモードにおいて視認される画像の時間あるいは数のような、その装置の利用状況を支払いシステムに通知するという形をとることができる。
【００６２】
許可は、一般的にはモバイル装置上での許可あるいはサービス料に対して用いられる、どのような仕組みあるいは装置を用いることもできる。
【００６３】
表示モードモジュール１４６５は、そのディスプレイが第１の表示モード（２Ｄ）に切り替えられるか、第２の表示モード（３Ｄ）に切り替えられるかを判定する。この実施形態では、これは単に、先に記載された方向分布検知装置からの指示を受信することを伴う。他の実施形態では、ユーザが直に入力することができるか、メニューから選択することができる。そのメニューによって、ユーザは、どのモードを選択したかを入力することができ（おそらく簡単な機械的切替え構成の場合）、これは表示モードモジュール１４６５に直に送出することができる。
【００６４】
コントローラ１４８０は、表示モードモジュール１４６５、画像データモジュール１４７０および許可モジュール１４７５からの入力を用いて、切替え可能な２Ｄ／３Ｄディスプレイの適当な動作モードを判定する。その後、コントローラ１４８０は、ドライバモジュール１４８５を適当に制御し、ドライバモジュールがＳＬＭ１４６０に対して必要とされる駆動出力を提供できるように、すなわちこの例では画像インターレースモジュールあるいは装置であるドライバモジュール１４８５が、コントローラ１４８０からの命令を用いて、ＳＬＭ１４６０のために適当なインターレースされた画像データを生成できるようにする。
【００６５】
図１２ａに示されるような、典型的なＴＦＴ−ＬＣＤのための標準的な構成では、ピクセルは、階調データを運ぶ列電極１１４０と、ピクセル１１４６にあるピクセルトランジスタ１１４４のためのゲート電圧を運ぶ行電極１１４２とによって駆動される。各２Ｄカラーピクセル１２００は、赤色ピクセル１２０２と、緑色ピクセル１２０４と、青色ピクセル１２０６から構成される。
【００６６】
図１２ｂは同じ構造であるが、図示されないが駆動電極を備える。レンズアレイ１２０８のレンズの相対的な位置が、そのピクセルが２ビューディスプレイ内のどのレンズの下に入るかを示すために図示されている。図から明らかなように、隣接するピクセルは、異なるビューピクセルデータを構成する。これが１２１０および１２１２において示されており、それはピクセルの列毎の個々の色およびビューデータを示す。
【００６７】
したがって、正確な位置でディスプレイを見ている観察者は、その右眼において（レンズ１２１４のアパーチャの概ね全体にわたる）、第１の行内のピクセル１２２０に対応する階調、第２の行内のピクセル１２２２に対応する階調などを見るであろう。その左眼では、観察者は、それぞれ第１および第２の行内のピクセル１２２４および１２２６に対応する階調を見るであろう。
【００６８】
ピクセル１２２０、１２２２およびそれらの下にあるものは、右眼データを含む、第１の赤色ビューデータ列１２２８を構成する。これに対して、列１２３０内のピクセルは赤色左眼データを含み、第２の赤色ビューデータ列である。１２２８および１２３０は合わせて第１のグループの赤色ビューデータ列１２３２を構成し、１２３３は第２のグループの赤色ビューデータ列を構成する。
【００６９】
対応する第１のグループの緑色データ列は列１２３４および１２３６を含む。ピクセルの位相を逆にして、左眼ピクセルがレンズ１２１４の下にあり、一方、右眼ピクセルがレンズ１２１８の下にあるようにできることに留意されたい。しかしながら、左眼および右眼画像は、各色ピクセルアレイ内で個々にインターレースされたままである。この例における青色ピクセル列１２３８および１２４０は、赤色ピクセル１２２８、１２３０と同じ位相を有する。
【００７０】
３Ｄ動作モードでは、ビューデータ列は、相応の画像に対応する異なる情報を含む。
【００７１】
画像インターレース装置もパッシブマトリクスＳＬＭを用いることができる。それは、エレクトロルミネセンスまたはポリマーＬＥＤ  ＳＬＭのようなＳＬＭを用いることもできる。ＳＬＭは、よく知られているようなフレームまたはパルス幅変調の技法によって、階調データの全体、あるいは一部を表示することができる。
【００７２】
ディスプレイ装置１４５０は３つの動作モードを提供する（これらは、ＳＬＭがその間で切り替えられることができる、上記のような２つの方向分布モードである第１の表示モードおよび第２の表示モードと混同されるべきでないことに留意されたい）。
【００７３】
［第１の動作モード］
第１の動作モードは最大解像度２Ｄモードであり、許可の必要はなく、出力方向分布は入力方向分布と概ね同じであり、すなわちＳＬＭは第１の表示モードにおいて動作する。
【００７４】
図９に示されるように、２Ｄ画像１１００が、空間的に多重化されたタイプの２Ｄ／３Ｄ切替え可能ディスプレイを組み込むディスプレイ装置にダウンロードされる。図９は、一旦、許可キーおよび方向分布の設定１０９９が制御装置１４５５の表示モードモジュール１４６５および許可モジュール１４７５によって決定された場合の、ディスプレイ上への２Ｄデータのマッピングを示す。
【００７５】
画像データ１１００は、ピクセルマッピングベクトル１１０８によって表示エリア１１０２上にマッピングされる。したがって、第１の列１１０４は画像ピクセルの１つの列を含み、画像インターレース装置の動作を示すベクトル１１０８によって、ディスプレイピクセル列１１０６としてディスプレイ１１０２上にマッピングされる。同様に、第２の画像のピクセル列１１１０は、第２のピクセルマッピングベクトル１１１４によって第２のディスプレイピクセル列１１１２上にマッピングされる。この過程は、従来どおりに画像が表示されるように続けられる。
【００７６】
この第１の動作モードでは、システムは一般的に、ディスプレイの標準的な利用方法と変わりがないので、暗号化状態をモニタする必要は全くない。こうして、この実施形態の１つの利点は、標準的な２Ｄ画像に暗号化データが追加される必要がなく、それゆえ、標準的な２Ｄインフラストラクチャが変更されないことである。
【００７７】
［第２の動作モード］
本発明の第２の動作モードでは、許可が検出され、３Ｄ画像がダウンロードされて、出力方向分布が、方向分布センサによって入力方向分布に対して異なるように決定される。そのような場合に許可が必要とされない他の実施形態では、許可を検出する代わりに、３Ｄ画像を指示するフラグまたはヘッダコンテンツが受信され、検出されることができる。他の実施形態では、許可、および３Ｄ画像を指示するフラグまたはヘッダコンテンツが受信され、検出されることができる。
【００７８】
画像受信装置（すなわち画像データモジュール１４７０）が、ダウンロードされた３Ｄ画像形式のタイプを判定する。これは、たとえば、左眼画像領域１１２４および右眼画像領域１１２５からなる領域を含む、図１０に示されるような２Ｄ画像１１２３の並置される対であるかもしれない。別法では、その画像は、図１１に示されるような予めインターレースされた画像１１２７であるかもしれない。
【００７９】
並置される画像の場合には、データは、図１０に示されるようにインターレースされる。画像インターレースシステム（すなわち、ドライバモジュール１４８５）は、ピクセルベクトル１１２８〜１１３４によって示されるように、ＳＬＭ１１２６上に画像をインターレースする。こうして、個々のビューデータ列１１３６および１１３８がそれぞれ左眼および右眼ビューデータを表示する。
【００８０】
予めインターレースされた画像１１２７の場合には、その画像は２Ｄ画像として取り扱われることができ、図１１に示されるように、たとえばピクセルマッピングベクトル１１０８によってＳＬＭ上に１：１にマッピングされる。
【００８１】
示されるインターレースパターンは、色面毎のインターレースを示す。グラフィックスコントローラシステムの出力順序およびタイミングと、ＳＬＭのデータ順序およびタイミング要件とを一致させるために、カラーチャネル毎に、色面間の適当な水平位相シフトが実施されることができる。そのような構成はどちらかと言えば各システムに特有であるが、当分野においてよく知られており、それゆえ、これ以上は記載されない。
【００８２】
［第３の動作モード：解像度を下げた２Ｄ画像］
第３の動作モードは半水平解像度２Ｄモードであり、許可が受信されず、かつＳＬＭの出力光方向分布が入力光方向分布と異なるものとして検出される（すなわち、第２の表示モードにおいて動作している）場合に実施される。この第３の動作モードを用いることにより、適当に許可されることなく、ディスプレイ上で自動立体画像が用いられるのを防ぐ。他の実施形態では、第３の動作モードは、適当な許可が受信されず、かつ２Ｄ画像のみが受信されるときに、第２の表示モード（３Ｄ）において画像の表示が試みられるのを防ぐための役割を果たすことができる。
【００８３】
第３の動作モードでは、ドライバモジュール１４８５は、同じ画像を、ディスプレイのビューデータ列の各グループ内にマッピングする。こうして、図１２ｂでは、赤色データ列１２３２からなる第１のグループは同じ画像データを含むであろう。したがって、ピクセル１２２０および１２４２は同じ階調情報を含むであろう。ピクセルデータは、垂直画像データコンテンツを保持するために行間で異なり、さらにピクセルデータは、最終的な画像の横方向分解能を保持するためにグループ間で異なるであろう。同様に、赤色ビューデータ列からなる第２のグループのピクセル１２０２および１２０７も同じ階調情報を含むであろう。
【００８４】
先に記載されたように、インターレース処理の細部は、パネルによって用いられる特有のアドレス指定方式に依存することになるが、ストライプタイプのＴＦＴ−ＬＣＤの場合には、カラーチャネルのうちの少なくとも１つの位相が、光景の正確な分離を達成するために調整される。
【００８５】
こうして、許可コード検出システム（すなわち、許可モジュール１４７５）が、不正確な許可データが存在することを検出し、方向分布検知装置が、そのディスプレイが３Ｄモードにおいて動作しているものと判定するとき、ビューデータ列の各グループは同じデータを含むように設定される。
【００８６】
図１３は、図１２ａのＳＬＭアドレス指定の変更された構成の一例を概略的に示す。上記のように、隣接するビューデータ列は、各行において同じビューデータを与えられる。したがって、たとえば最初の２つの赤色列１１４８、１１５０は共通の信号１１５２によって駆動される。リンク１１５２の機能は、駆動電子回路に対する変更によって、またはソフトウエア画像インターレーサの出力駆動方式に対する変更によって確立されることができる。
【００８７】
図１４〜図１６は、赤色チャネルの例を用いて、本発明の第３の動作モードにおけるピクセルマッピングベクトル１１５３の実施態様を示す。ピクセルマッピングベクトルは、画像から空間光変調器へのピクセルのマッピングを記述する。
【００８８】
図１４では、並置される３Ｄ画像１１５４は、左眼画像データを含む列の領域１１５６と、右眼画像データを含む領域１１５８とを含む。そのデータは、ピクセルベクトル１１５３によってＳＬＭ１１６０にマッピングされ、第１の画像データ列１１６２がビューデータ列１１６４、１１６６からなる第１のグループにマッピングされ、第３の画像データ列１１６８がビューデータ列１１７０、１１７２からなる第２のグループにマッピングされるようにし、それ以外も同じようにする。図から明らかなように、この例では、ＳＬＭ１１６０の右側１１７４は右眼画像データを含むであろう。その過程は、青色および緑色画像データの場合も同様であり、上記のように、データの適当な位相変化が組み込まれる。
【００８９】
図１５では、図１４の例の場合と同じように、同じピクセルマッピングベクトル１１５３が用いられる。しかしながら、２Ｄ画像１１７６は、その画像データがビューデータ列１１６４、１１６６上で同じになるように、ＳＬＭ１１６０にマッピングされる。このようにして、同じ電子またはソフトウエアモジュールを用いて、第３の動作モードにおいて、この種の画像の場合にＳＬＭ上に画像データを都合よく構成することができる。
【００９０】
図１６では、再び同じピクセルベクトル１１５３を用いて、予めインターレースされた画像からのデータがＳＬＭにマッピングされる。この事例では、ＳＬＭの３Ｄ方向分布とともに、許可されていない立体画像を与えることになる画像を導入することにより、ユーザが許可システムを巧みに回避しようするものと想定されることができる。しかしながら、先に記載されたようなピクセルマッピングによれば、元のインターレースパターンがＳＬＭ上に保持されることはできないことを意味するであろう。したがって、ディスプレイが３Ｄ光学モードに設定されることを方向分布センサが指示する場合であっても、許可がないことにより、各ビューデータ列において同一のビューデータを用いることが要求されるので、許可を用いることなく立体画像を入手することはできない。
【００９１】
したがって、この実施形態の特有の意外な利点は、第３の動作モードにおいて、画像のデータコンテンツに関係なく、同じピクセルマッピングベクトルを用いて、観察者に見せるための２Ｄ画像にマッピングできることである。したがって、このモードでは、単一のデータ変換モジュールを用いることができ、それは、ある範囲の異なる画像に対して機能するであろう。したがって、データ変換システムのコストを最小限に抑えることができる。
【００９２】
図１４の構成では、並置される画像１１２３が２つの半幅画像を含む場合には、ＳＬＭ上に表示される最終的な画像は２つの並置される、水平方向に押しつぶされた画像になるであろう。一般的に、第３の動作の動作モードでは、その装置はこの種のピクセルマッピングベクトルを自動的に用いるものと考えられる。しかしながら、画像データ内のソフトウエアフラグを用いることにより、またはユーザの選択により、第２のピクセルマッピングベクトルが用いられることができる。図１７は、好ましい別のピクセルマッピングベクトル１１８４を示す。この事例では、左相応画像がマッピング過程によって引き伸ばされ、ディスプレイにわたって正確なアスペクト比が与えられる。しかしながら、図から明らかなように、ディスプレイ上へのデータのマッピングは、先に用いられたのと同じであり、各ビューデータ列内のデータは一定に保持される。この事例では、画像１１５４のピクセル列１１８０はピクセル列１１６４および１１６６に合わせられ、一方、ピクセル列１１８２はピクセル列１１７０および１１７２にマッピングされる。
【００９３】
出力の方向分布が入力と同じである、予めインターレースされた画像をダウンロードする場合に、図１６のデータの変換を用いることができることも明らかである。同様に、出力の方向分布が入力と同じである、並置された画像をダウンロードする場合に、図１７の変換を用いることができる。
【００９４】
［システム動作］
システムの動作の一例を図１８において概略的に見ることができる。ユーザ１３００が、遠隔して配置される場合もあるサービスプロバイダ１３０３に対して、３Ｄ画像をダウンロードするための要求１３０２を行う。画像データ１３０４がサービスプロバイダ１３０３によってダウンロードされ、たとえば暗号化された形で、ユーザのハンドセット上にある画像受信装置１３０６に送信される。ユーザハンドセットには、サーバによって送信されたか、またはハンドセットキーパッドのような別の手段によってユーザの装置に入力された許可キー１３０８が存在することができる。その許可が認証装置１３０９によって認証される場合には、信号１３２３上に論理ＯＮが生成され、必要に応じて、画像が暗号解除されることができる（１３１０）。許可が存在しないか、または認証されない場合には、信号１３２３上に論理ＯＦＦが生成され、画像は変更されないまま、暗号解除ブロック１３１０を通過することができる。
【００９５】
一方、ユーザはディスプレイ上の偏光子１３１２の構成を設定し、それが方向分布センサ１３１４によって検知される。センサ情報は、マイクロコントローラ（図示せず）を含むことができるか、または論理装置１３１６、１３１８、１３２０および１３３２を備えることができる制御装置に送信される。
【００９６】
方向分布が３Ｄモードである場合には、論理ＯＮが論理装置１３１６からＡＮＤゲート１３１８および１３２０に送信される。２Ｄモード方向分布が存在する場合には、論理ＯＮがＡＮＤゲート１３２２に送信される。その画像が許可を受信しており、認証された場合には、信号１３２３上の論理ＯＮがゲート１３１８に送信される。その画像が正確な許可を受信していなかった場合には、信号１３２３上に論理ＯＦＦが生成され、信号１３２４上の論理ＯＮが、インバータ１３４３を経由してゲート１３２０および１３２２に送信される。
【００９７】
１３１８、１３２０および１３２２の出力はデータ選択装置１３３２に入力される。これを用いて、ピクセルマッピング機能１３２８、１３３０、１３２６のうちのどの機能がＳＬＭ１３３４に送信される画像データに適用されるかが選択される。モード１動作では、２Ｄモードに対応する１３２２によって選択されたマッピングベクトル装置１３２６によって画像がマッピングされる。モード２の場合、許可された３Ｄモードに対応する１３１８によって選択されたマッピングベクトル装置１３２８によって画像がマッピングされる。モード３の場合、１３２０によって選択されたマッピングベクトル装置１３３０によって画像がマッピングされる。
【００９８】
［方向分布の電子制御を用いる装置］
方向分布変更装置が、たとえば電子シャッターを用いて電子工学的に切り替えることができる場合には、シャッターは自動的に制御されることができる。シャッターは、同時係属中のＧＢ０１１９１７６．６に記載されるような、ディスプレイの出力の偏光状態を変更することができる光学要素のことを指す。
【００９９】
３Ｄ許可のダウンロードを用いて、適当な方向分布を自動的に構成することもできる。これが図１９に示されており、図１８に類似であるが、方向分布切替え素子１３１２が、電気的な駆動手段１３４１によって制御される電気的に切り替えられる素子１３４０によって置き換えられる点が異なる。電気的な駆動手段の設定は、たとえば、認証装置１３０９からの論理制御信号１３４４によって自動的に、または任意選択でユーザ設定スイッチ１３４５を用いて、自動的に決定されることができる。判定装置１３４２は、１３４０からの方向分布を判定するように構成される。これは、たとえば、装置１３４１からのシャッターにかかる電気信号を判定することにより、またはシャッター１３４０（図示せず）の光流量を検出することにより、あるいは装置１３４１（図示せず）への論理入力を判定することによりなされることができる。
【０１００】
電気的に切り替えられる素子１３４０には、偏光切替え素子を用いることができる。第１のモードでは、その偏光切替え素子は、第１の方向分布を有する第１の偏光状態の光を通すように構成される。第２のモードでは、その偏光切替え素子は、第２の方向分布を有する第２の偏光状態の光を通すように構成される。その方向分布は、たとえば、複屈折レンズを用いて達成されることができる。第１または第２の偏光の光を通すことにより切り替えられる他の複屈折素子は、切替え可能な視差バリアを形成するように構成される、パターニングされた複屈折薄膜を含む。
【０１０１】
別法では、切替え方向分布変更要素には、当分野においてよく知られている、切替え可能な液晶レンズまたは切替え可能な光線(light line)を用いることができる。
【０１０２】
２Ｄページがいくつかの許可された３Ｄ画像を有するが、テキストのような２Ｄデータも有する場合には、ＳＬＭへのデータの制御はデータセレクタ１３３２によって正確に取り扱われる。表示されることになる画像スクリーンが２Ｄ領域と３Ｄ領域との間でセグメント化されるかもしれないが、ＳＬＭの方向分布を制御するシャッターはセグメント化されないかもしれない。シャッター素子がセグメント化されない場合には、ユーザは、ディスプレイが３Ｄモードに自動的に切り替わるのを望まないかもしれない。そうでなければ、許可された３Ｄ画像が含まれる場合には、ディスプレイが自動的に表示するようにしているであろう。したがって、オプションの手動制御１３４５が設けられる。検知装置１３４２が、手動制御とともに、許可されない画像が表示されるのを防ぎ、一方、ユーザは許可された３Ｄ画像の表示を、２Ｄモードと３Ｄモードとの間で交互に切り替えることができるようになる。
【０１０３】
このようにして、ユーザが、方向分布制御システムを制御する電子シャッターをオーバーライドしようとするとき、許可された画像のみを確実にディスプレイ上で見ることができる。
【０１０４】
サーバは３Ｄ方向分布を自動的に利用可能にすることができる。そのような仕組みは、たとえばユーザによって具体的には要求されないかもしれない広告コンテンツをダウンロードする場合に特に有利である。
【０１０５】
［画像インターレース装置の実施形態］
第３の動作モードでは、図２０に示されるようなデータラッチ１３５２に対して種々のクロック信号を選択することにより、データがビューデータピクセル列のグループ毎に同じになるように設定されることができることが有利である。画像データ１３５０は、各データチャネルのビット毎に、ラッチ１３５２によってラッチされる。水平データクロック入力１３５４は、２分周モジュール１３５６を通過してクロック選択モジュール１３５８に入り、また変更されないままの入力もクロック選択モジュール１３５８に入る。許可信号１３６０は、入力クロックのうちのどのクロックがクロック選択出力１３６１によってラッチに渡されるように選択されるかを、すなわち第１の動作モードおよび第２の動作モードのためのクロック１３６２が設定されるか、第３の動作モードのためのクロック１３６４が設定されるかを決定する。
【０１０６】
その後、クロックデータ１３６１を用いてラッチ１３５２がトリガされ、列ドライバ１３６８および行ドライバ１３７０によって、ラッチされたデータ１３６６がディスプレイピクセルアレイ１３６７に転送されるようになる。こうして、全てのデータ列が個別にアドレス指定されるモードでは、クロック１３６２に対応する最大クロック速度が選択され、最大クロック速度でデータが駆動される。しかしながら、ビューデータ列の各グループが同じビューデータ情報を含むことになる第３の動作モードでは、クロック１３６４に対応する半分のクロック速度を用いて、ラッチを制御することにより、同じデータが２回、ディスプレイ上に読み出される。
【０１０７】
この回路は、必要に応じて、カラーチャネル、たとえばＲ、Ｇ、Ｂ毎に繰り返されることができる。グラフィックスコントローラシステムの出力順序およびタイミングと、ＳＬＭのデータ順序およびタイミング要件とを一致させるために、カラーチャネル毎に、適当なデータ位相オフセットを実施することもできる。そのような構成は、どちらかと言えば各システムに特有であるが、当分野においてよく知られている。
【０１０８】
アナログデータの場合、ラッチ機能１３５２は、サンプル・アンド・ホールド回路として具現されることができ、サンプリングがクロック入力によって制御される。
【０１０９】
デジタルデータの場合、ラッチ機能１３５２は、データのビット当たりの「Ｄタイプ」フリップフロップとして具現されることができる。
【０１１０】
典型的なディスプレイシステムでは、ＳＬＭ１３３４は、図２１ａに示されるようなフラット多心ケーブル１４０２によって、グラフィックスコントローラ機能１４００に接続されるであろう。本発明は、図２１ｂに示されるように、そのようなシステム内に都合よく、かつ安価に実施されることができる。許可信号１４０５を受信する許可装置１４０７と、他の構成要素１４０６および接続用トラック（図示せず）とが載置される可撓性の薄膜である小さな付加回路基板１４０４が、多心コネクタ１４１０および１４１２とともに用いられ、図１８または図１９のハードウエア機能が実現される。したがって、これらの実施形態は、典型的なディスプレイ装置のディスプレイまたはオペレーティングシステムを大幅に調整する必要なく、実施されることができる。
【０１１１】
他の実施形態では、第１の動作モード、第２の動作モードのうちのいずれか、または両方が省かれることができる。たとえば、３Ｄ画像を表示するための判定基準が、許可が受信されたか否かだけである実施形態では、２Ｄ画像の通常の２Ｄ表示のための要件は存在しなくてもよい。この事例では、第１の動作モードは省かれることができる。その際に、許可を受け損なうことに起因して、２Ｄのみが見られることができることが望ましい場合には、第３の動作モードが用いられることができる。実際には、２Ｄ画像を表示するための要件が存在する場合であっても、第１の動作モードは省かれることができ、解像度が低下するという問題はあるが、２Ｄ画像が第３の動作モードを用いて表示されることができる。
【０１１２】
さらに別の実施形態では、以下に記載されるオプションを用いることができる。
【０１１３】
許可モジュールは暗号化システムを用いることができる。その暗号化システムは、ＰＫＩ（公開鍵インフラストラクチャ）または他の既知の符号化または暗号化の仕組みを用いることができる。個々の許可された装置を特定する方法は、内蔵のスマートカードおよびシリアル番号を用いることができるか、またはインターネット技術の分野においてよく知られているような「クッキー」技術を用いることができる。その暗号化システムは、「ソフト」および「ハード」モードを有することができる。「ソフト」モードでは、適当なデコーダを備える全ての受信機を、その画像を見るために使用可能にする。「ハード」モードでは、特定のグループの受信機または個々の受信機のみを、その画像を見るために使用可能にする。
【０１１４】
許可は、特定の画像またはデータを表示できるようにするために、サーバ装置からディスプレイ装置に送信されることができる。許可は、画像とは別に送信されることができるか、または画像データファイルそのものに埋め込まれることができる。
【０１１５】
画像インターレース装置（すなわちドライバモジュール）は、
グラフィックスコントローラとＳＬＭ駆動電子回路との間のインターフェース内に全てまたは一部が実施されることができるか、
ＳＬＭ駆動電子回路内に全てまたは一部が実施されることができるか、
ディスプレイ管理システムのオペレーティングシステムのソフトウエア内に全てまたは一部が実施されることができるか、
グラフィックスコントローラのファームウエア内に全てまたは一部が実施されることができるか、
第１の動作モードと、第２および第３の動作モードとの間でディスプレイガンママッピング関数をさらに調整することができる。
【０１１６】
ビューデータ列の各グループは、同じカラーチャネルのピクセルを含むことができる。また、ビューデータ列の各グループは、第２および第３の動作モードにおいて、カラーチャネルのうちの２つと第３のカラーチャネルとの間に位相オフセットを設けて表示されることができる。
【０１１７】
第１または第２のモードのための条件が満たされない場合には、第３の動作モードにおいて、警告画像が画面上に表示されることができる。その警告画像には、
所定の警告メッセージと、
均等に色をつけた画面と、
黒または白の画面と、
視差光学部品と組み合わせて、各ビューデータ列内のビューデータが対応する３Ｄデータとは異なるようにする画像
とのうちの１つを用いることができる。
【０１１８】
［さらに別の例］
図３ａに示される切替え可能な指向性ディスプレイに対する代替形態として、本発明は２つの表示モード間で切替え可能な任意の光スイッチング装置に適用されることができる。これは、英国特許出願０１１９１７６．６および国際出願ＰＣＴ／ＧＢ０２／０３５１３に開示される別の空間光変調器を含む。またこれは、たとえば、全て参照により本明細書に援用される、先に確認されたProc. SPIE vol. 1915 Stereoscopic Displays and Applications IV(1993) pp177-186「Developments in Autostereoscopic Technology at Dimension Technologies Inc.」（1993）、ＧＢ−Ａ−２，３１７，７１０、ＧＢ−２，３１７，２９５、ＥＰ−Ａ−０，８６０，８０７、ＷＯ９８／２１６２０およびＵＳ６，０６１，１７９に開示される既知のタイプの、２Ｄ表示モードと３Ｄ表示モードとの間で切替え可能な他のディスプレイ装置および空間光変調器も含む。
【０１１９】
上記の説明のうちのいずれにおいても、ＳＬＭの表示エリアの１つまたは複数の部分が上記の実施形態において説明されたように操作されることができ、表示エリアの他の部分は概ね切り替えられないままにできることは理解されたい。
【０１２０】
本発明のＳＬＭは、３Ｄ画像が最も良好に視認される領域を指示するために用いられるさらに別の装置を含むか、またはそれと協動することができる。そのような装置は、たとえば、参照により本明細書に援用される、同時係属中の英国出願第０１１９１７６．６号および国際出願ＰＣＴ／ＧＢ０２／０３５１３に記載される。
【０１２１】
本発明を用いて、たとえば参照により本明細書に援用される、同時係属中の英国出願第０１１９１７６．６号および国際出願ＰＣＴ／ＧＢ０２／０３５１３に記載されるように、３Ｄ画像以外の指向性画像の視認を調整し、制御することができる。
【０１２２】
これは、たとえば、その異なる視認位置に起因して、種々の観覧者（viewers）が異なる画像を見るマルチユーザディスプレイを含む。
【０１２３】
方向分布検知手段は、その装置の制御システムと協動して、記載される動作モードのうちの任意のモードにおいて表示される時間の長さおよび画像の数についてのデータをサーバに報告することができる。すなわち、光スイッチング装置は、第２の表示モードにあるか、または第２の表示モードに切り替えられることをモニタされることができる。そのような情報は、遠隔した実体(entity)に伝送されることができ、かつ／または収益への費用負担またはモニタ目的を含む目的のために用いられることができる。
【０１２４】
図２２は、方向分布が切替え可能な偏光素子によって切り替えられる、参照により本明細書に援用される、同時係属中の英国出願第０１１９１７６．６号および国際出願ＰＣＴ／ＧＢ０２／００３５１３に記載されるようなさらに別のタイプの切替え可能指向性ディスプレイを示す。バックライト１０３４が光出力１０３６を生成し、その光出力は、入力偏光子１０３９（それはたとえば、当分野においてよく知られているような、線形偏光子、または光リターダおよび線形偏光子の組み合わせを備えることができる）およびＬＣＤ基板１０４０に入射する。光は、ＬＣＤピクセルのアレイを備えるピクセル面１０４２を通過する。その後、光はＬＣＤ対向基板１０６４、ＬＣＤ出力偏光子１４１４（それは、たとえば、当分野においてよく知られているような、線形偏光子、または光リターダおよび線形偏光子の組み合わせを備えることができる）、さらに支持基板１０６６を通って、複屈折材料の層および等方性レンズマイクロ構造を含む複屈折マイクロレンズ１０７２に入る。その後、光はレンズ基板１０７４および偏光変更装置１４１６を通過する。
【０１２５】
偏光変更装置１４１６は、たとえば、当分野においてよく知られているような、透明電極を設けられた表面１４１８と液晶配向層を設けられた表面１４１８との間に挟まれるツイストネマティック液晶層として具現されることができる。検知装置１４２４を用いて、偏光切替え層１４１６の電気的な駆動をモニタすることができる。セル１４１６、１４１８の第２の基板１４２０は、その第２の表面に偏光子１４２２を取り付けられる。
【０１２６】
偏光子１４１４には線形偏光子を用いることができ、透過方向がマイクロレンズ１０７２の複屈折光軸に対して、たとえば４５°に位置合わせされる。マイクロレンズの複屈折軸は、複屈折マイクロレンズ１０７２において用いられる複屈折材料の異常軸の方向である。複屈折マイクロレンズ上に入射する偏光状態は、複屈折材料の２つの軸に分解するであろう。第１の軸では、複屈折材料の屈折率は、複屈折マイクロレンズ１０７２の等方性屈折率に概ね屈折率整合されるので、レンズは概ねイメージング機能を持たない。第１の軸に直交する可能性のある第２の軸では、複屈折材料の屈折率は等方性材料に対して異なる屈折率を有し、それゆえレンズはイメージング機能を有する。
【０１２７】
２Ｄ動作モードでは、液晶層１４１６に電圧は印加されず、入射偏光状態は回転する。３Ｄ動作モードでは、セルに電圧が印加され、入射偏光状態は概ね回転しない。
【０１２８】
スイッチ１４１６が、偏光子１４２２を透過する偏光状態が第１の軸に平行になるように設定される場合には、そのディスプレイは２Ｄ方向分布を有するであろう。スイッチ１４１６が、偏光子１４２２を透過する偏光状態が第２の軸に平行になるように設定される場合には、そのディスプレイは自動立体３Ｄ方向分布を有するであろう。それゆえ、検知装置１４２４は、偏光素子の電気的な駆動を判定することにより、光スイッチング装置の表示モードを判定することができる。
【０１２９】
図２３は、方向分布が切替え可能な偏光素子によって切り替えられる、参照により本明細書に援用される、同時係属中の英国出願第０１１９１７６．６号および国際出願ＰＣＴ／ＧＢ０２／００３５１３に記載されるような、さらに別のタイプの切替え可能指向性ディスプレイを示す。これは、図２２のアーキテクチャに類似の構造であるが、偏光子１４１４が省かれる点が異なる。そのような装置の動作は図３ａの装置と同じようになるが、それとは異なり、機械的に構成変更可能な偏光子が、電気的に切り替えられる偏光子１４１６および吸収線形偏光子１４２２によって置き換えられており、その偏光子１４１６として、たとえば、透明電極を備える表面１４１８と配向層を備える表面１４１８との間に挟まれるツイストネマティック液晶層を用いることができる。
【０１３０】
図３ａの場合に示されるように、その装置は、最後の偏光子１４２８によって透過される偏光状態を選択することにより、２Ｄ方向分布と３Ｄ方向分布との間で切り替えられることができる。それゆえ、検知装置１４２４は、偏光素子の電気的な駆動を判定することにより、光スイッチング装置の表示モードを判定する。
【０１３１】
図２４は、方向分布が、ディスプレイ出力偏光子と複屈折マイクロレンズアレイ１０７２との間に配置される切替え可能な偏光素子によって切り替えられる、参照により本明細書に援用される、同時係属中の英国出願第０１１９１７６．６号および国際出願ＰＣＴ／ＧＢ０２／００３５１３に記載されるような、さらに別のタイプの切替え可能指向性ディスプレイを示す。偏光子１４１４によって透過されるディスプレイの出力線形偏光は、スイッチ基板１４３２と、ツイストネマティック層１４３０を挟む透明電極および配向層１４１８と、レンズ対向基板１０６６と、複屈折マイクロレンズ１０７２と、レンズ基板１０７４とを通って伝搬される。
【０１３２】
２Ｄモードでは、偏光スイッチ１４３０が入射偏光を回転させて、それが複屈折マイクロレンズの材料の通常軸に入射できるようにする。常光線屈折率は、等方性材料の屈折率に整合され、それゆえレンズは影響を及ぼさない。３Ｄモードでは、液晶層１４３０に電界がかけられ、偏光状態が回転せず、光が複屈折マイクロレンズの異常軸に入射できるようになる。それゆえ、レンズは光学的な作用を有し、自動立体方向分布が生成される。
【０１３３】
こうして、検知装置１４２４は、偏光素子の電気的な駆動を判定することにより、光スイッチング装置の表示モードを判定する。
【０１３４】
図３ａ、図２２、図２３および図２４に示される典型的な実施形態はそれぞれ、２Ｄおよび自動立体３Ｄモードの両方における透過、反射または半透過動作モードの場合に適している。反射モードでは、バックライト１０３４および偏光子１０３９は省かれることができる。
【図面の簡単な説明】
【０１３５】
【図１ａ】スクリーン面の後方にある物体の場合の３Ｄディスプレイ内の見掛け上の奥行の生成を示す図である。
【図１ｂ】スクリーン面の前方にある物体の場合の３Ｄディスプレイ内の見掛け上の奥行の生成を示す図である。
【図１ｃ】画像のステレオペアの各画像上の対応する相応点の位置を示す図である。
【図２ａ】自動立体３Ｄディスプレイの前方の右眼視認窓の形成を示す概略図である。
【図２ｂ】自動立体３Ｄディスプレイの前方の左眼視認窓の形成を示す概略図である。
【図３ａ】切替え可能な２Ｄ／３Ｄシステムを示す図である。
【図３ｂ】偏光検知装置を備える切替え可能な２Ｄ／３Ｄシステムを示す図である。
【図４】ストライプタイプの液晶ディスプレイパネル内のピクセルの従来技術の構成を示す図である。
【図５】２ビュー自動立体ディスプレイシステムにおいて用いられる空間光変調器上のデータの配列を示す図である。
【図６】ディスプレイ装置の機能モジュールを示すブロック図である。
【図７ａ】第１の向きにある方向分布検知要素の一実施態様を示す図である。
【図７ｂ】第２の向きにある方向分布検知要素の一実施態様を示す図である。
【図８ａ】方向分布検知要素の別の実施態様を示す図である。
【図８ｂ】方向分布検知要素のさらに別の実施態様を示す図である。
【図９】本発明の一実施形態の第１の動作モードにあるＳＬＭへの画像データのマッピングを示す図である。
【図１０】本発明の一実施形態の第２の動作モードにあるＳＬＭへの画像データのマッピングを示す図である。
【図１１】本発明の一実施形態の第２の動作モードにあるＳＬＭへの画像データのマッピングのためのさらに別のオプションを示す図である。
【図１２ａ】典型的なＴＦＴ−ＬＣＤパネル内の電極およびトランジスタのレイアウトの概略図である。
【図１２ｂ】図１２ａのパネル上の対応するレンズ位置およびピクセルならびにビューデータを示す図である。
【図１３】本発明の一実施形態の第３の動作モードのＳＬＭデータ出力を達成する１つの装置を示す図である。
【図１４】第３の動作モードにおける並置された３Ｄ画像からＳＬＭへの画像データのマッピングを示す図である。
【図１５】第３の動作モードにおける２Ｄ画像からＳＬＭへの画像データの別のマッピングを示す図である。
【図１６】第３の動作モードにおける並置された３Ｄ画像からＳＬＭへの画像データの別のマッピングを示す図である。
【図１７】第３の動作モードにおけるオプションのマッピング機能を示す図である。
【図１８】機械的に構成変更可能な偏光装置のための制御システムを示す図である。
【図１９】電子工学的に構成変更可能な偏光装置のための制御システムを示す図である。
【図２０】種々の動作モードのためのデータ間で切り替えることができるようにするためのインターレース装置の一例を示す図である。
【図２１ａ】ＳＬＭとコントローラとの間の接続の一例を示す図である。
【図２１ｂ】ＳＬＭとコントローラとの間の接続が如何に変更されることができるかの一例を示す図である。
【図２２】方向分布が、電子工学的に制御される偏光切替え素子によって切り替えられる３Ｄ自動立体ディスプレイを示す図である。
【図２３】方向分布が、レンズアレイと出力偏光子との間にある電子工学的に制御された偏光切替え素子によって切り替えられるさらに別の３Ｄ自動立体ディスプレイを示す図である。
【図２４】方向分布が出力偏光子とレンズアレイの間にある電子工学的に制御される偏光切替え素子によって切り替えられるさらに別の３Ｄ自動立体ディスプレイを示す図である。
【図１ａ】
2005513884.tif 000003
【図１ｂ】
2005513884.tif 000004
【図１ｃ】
2005513884.tif 000005
【図２ａ】
2005513884.tif 000006
【図２ｂ】
2005513884.tif 000007
【図３ａ】
2005513884.tif 000008
【図３ｂ】
2005513884.tif 000009
【図４】
2005513884.tif 000010
【図５】
2005513884.tif 000011
【図６】
2005513884.tif 000012
【図７ａ】
2005513884.tif 000013
【図７ｂ】
2005513884.tif 000014
【図８ａ】
2005513884.tif 000015
【図８ｂ】
2005513884.tif 000016
【図９】
2005513884.tif 000017
【図１０】
2005513884.tif 000018
【図１１】
2005513884.tif 000019
【図１２ａ】
2005513884.tif 000020
【図１２ｂ】
2005513884.tif 000021
【図１３】
2005513884.tif 000022
【図１４】
2005513884.tif 000023
【図１５】
2005513884.tif 000024
【図１６】
2005513884.tif 000025
【図１７】
2005513884.tif 000026
【図１８】
2005513884.tif 000027
【図１９】
2005513884.tif 000028
【図２０】
2005513884.tif 000029
【図２１ａ】
2005513884.tif 000030
【図２１ｂ】
2005513884.tif 000031
【図２２】
2005513884.tif 000032
【図２３】
2005513884.tif 000033
【図２４】
2005513884.tif 000034
【国際調査報告】
2005513884.tif 000035
2005513884.tif 000036